(57)【要約】【課題】複数の機能ユニットを回路基板と電気的に接続する際に、誤接続を防止でき、かつ、最短距離で接続でき、機能ユニットごとの面倒な波形調整が不要な配線構造及び画像形成装置を提供する。【解決手段】隣接し合う受側コネクタ（例えば、３１２ｃ，３１２ｄ）間の間隔Ｄ１  を、隣接し合う機能ユニット（例えば、２２７ｃ，２２７ｄ）間の間隔Ｄ０と略同一に設定すると共に、規制手段２４０（例えば、２４０ｃ，２４０ｄ）から対応する受側コネクタ（例えば、３１２ｃ，３１２ｄ）までの距離Ｄ２  を、機能ユニット間間隔Ｄ０  よりも短く設定している。【選択図】  図４
2004233545.tif 000002
【特許請求の範囲】
【請求項１】
互いに並列に配列されて電気的な信号で動作する複数の機能ユニットに対して所定の間隔をおいて配設される回路基板と、
前記各機能ユニットに対応して前記回路基板に設けられる複数の受側コネクタと、
前記各受側コネクタと、対応する前記各機能ユニットとを各ユニットごとに独立に電気的に接続するための複数の配線束と、
前記各配線束をそれぞれ位置規制するための規制手段と、を備え、
隣接し合う前記受側コネクタ間の間隔を、隣接し合う前記機能ユニット間の間隔と略同一に設定し、かつ、前記各規制手段から対応する前記各受側コネクタまでの距離を、前記機能ユニット間の間隔よりも短く設定したことを特徴とする配線構造。
【請求項２】
前記配線束は、前記回路基板に設けた受側コネクタに接続される複数のコネクタを具備し、
前記複数のコネクタを、前記受側コネクタに接続した時には、前記それぞれのコネクタに接続されている配線束の、少なくともその一部が回路基板面に直交する方向に重なり合うように、前記受側コネクタの配置位置を設定したことを特徴とする請求項１に記載の配線構造。
【請求項３】
前記配線束は、分岐点から分岐した２つの配線束の先端に、それぞれコネクタを具備し、かつ、前記回路基板上には、２つの前記コネクタにそれぞれ接続される２つの受側コネクタが配設され、
前記規制手段から一方の前記受側コネクタに至る距離が、前記規制手段から他方の前記受側コネクタに至る距離よりも短くなるように、前記一方の受側コネクタを、前記他方の受側コネクタからオフセットした位置に配設したことを特徴とする請求項２に記載の配線構造。
【請求項４】
前記一方のコネクタに接続されている配線束は、前記一方の受側コネクタに近接する箇所で、前記他方のコネクタに接続されている配線束に沿う方向に向けて折曲状態となるように結束されていることを特徴とする請求項３に記載の配線構造。
【請求項５】
転写担持体に対して複数の画像形成ステーションを並列して配置し、前記転写担持体上で前記それぞれの画像形成ステーションにて形成された画像を重ね転写する画像形成装置において、
前記各画像形成ステーションに設けられ、互いに並列に配列されて電気的な信号で動作する複数の機能ユニットと、
前記機能ユニットの配列に対して所定の間隔をおいて配設される回路基板と、
前記各機能ユニットに対応して前記回路基板に設けられる複数の受側コネクタと、
前記各受側コネクタと、対応する前記各機能ユニットとを各ユニットごとに独立に電気的に接続するための複数の配線束と、
前記各配線束をそれぞれ位置規制するための規制手段と、を備え、
隣接し合う前記受側コネクタ間の間隔を、隣接し合う前記機能ユニット間の間隔と略同一に設定すると共に、前記各規制手段から対応する前記各受側コネクタまでの距離を、前記機能ユニット間の間隔よりも短く設定したことを特徴とする画像形成装置。
【請求項６】
前記回路基板は前記機能ユニットの上側に配設されていることを特徴とする請求項５に記載の画像形成装置。
【発明の詳細な説明】
【０００１】
【発明の属する技術分野】
本発明は、複写機、プリンタ、ファクシミリ等の画像形成装置における配線構造及び画像形成装置に係り、詳しくは、各機能ユニットと回路基板とを電気的に接続するためのハーネスにおける誤接続防止の技術に関する。
【０００２】
【従来の技術】
近年、フルカラー画像を形成する電子写真方式の画像形成装置には、高品位な画質と迅速な画像形成速度が要望されるようになった。そのため、画質に関してはＣ，Ｍ，Ｙの３色を用いてフルカラー画像を形成する方法に代わり、最近ではＣ，Ｍ，Ｙに加えてＫ（黒）の４色を用いてフルカラー画像を形成する方法が一般的になってきている。また、画像形成速度に対しては、１つの像担持体に対して４色の現像剤を切換えながらフルカラー画像を形成する４回転プロセス方式から、４色それぞれの画像形成ステーションを転写担持体に対して並べて配置し、ほぼ同時に４色の画像を形成するタンデム方式の画像形成装置により画像形成速度の高速化に対応している。
【０００３】
このタンデム方式の画像形成装置では、Ｃ，Ｍ，Ｙ，Ｋそれぞれの画像を形成するための画像ステーションは、全て同一のユニットにて構成されることが多く、同一のユニット構造とすることによりなるべく装置の製造コストを低く抑えるようにしている。また、所望のフルカラー画像を得るために、それぞれ別々に設けられた画像形成ステーションの各機能部品を制御部からの指令により定められたタイミングで制御する必要があり、そのために、制御部と各画像形成ステーションとの間には、電源と画像信号や制御信号等を授受するための配線束からなるハーネスと称される配線手段を設けている。
【０００４】
この配線手段は、制御部あるいは画像形成ステーションを画像形成装置本体に組込む場合や、それぞれに対するメンテナンスを行う場合に着脱が可能に構成されている。しかしながら、着脱可能に構成した場合には作業性が著しく向上する利点があるが、タンデム方式のように、全く同一のユニットに対しての電気的な接続を行うハーネスに備えられたコネクタは、それぞれのユニットごとに設けられそれらは同一の仕様のもので構成されるため、誤って接続を間違えるトラブルを発生しやすい。
【０００５】
これを防止するためとコネクティング時の作業性を考慮し、従来、例えば、図６に示すように、ケーブルを束ねた１本のハーネス１６の両端を、各画像形成ステーションの機能ユニット１２〜１５のコネクタ１２ａ，１２ｂ〜１５ａ，１５ｂと、制御基板１１に設けられたコネクタ２２ａ，２２ｂ〜２５ａ，２５ｂと、に対応させてそれぞれ分岐させることで、誤接続できない構成にしていた。なお、この場合、制御基板１１では、一方のコネクタ２２ａに対して、他方のコネクタ２２ｂは、ハーネス１６に平行な方向に距離ｓだけシフトした位置に配設されている。
【０００６】
このような構成において、まず、ハーネス１６の一端側の分岐端に取り付けられたコネクタ３２ａ，３２ｂ〜３５ａ，３５ｂを、機能ユニット１２〜１５のコネクタ１２ａ，１２ｂ〜１５ａ，１５ｂにそれぞれ接続した後、そのハーネス１６を基板支持板１７の側縁を迂回させて、他端側の分岐端に取り付けられたコネクタ４２ａ，４２ｂ〜４５ａ，４５ｂを、制御基板１１のコネクタ２２ａ，２２ｂ〜２５ａ，２５ｂに接続するようにしていた。
【０００７】
その分岐点では、それぞれ結束部材１６ｂ２〜１６ｂ５でハーネス１６を結束することにより、分岐させた部分の長さを固定すると共に、各コネクタ４２ａ，４２ｂ〜４５ａ，４５ｂが接続対象となる各コネクタ２２ａ，２２ｂ〜２５ａ，２５ｂに向くように分岐した部分を折り曲げ状態（略Ｌ字状の曲げ状態）に保持させていた。
【０００８】
なお、このような電気配線における誤接続の防止に関する技術は、画像形成装置に限らず、例えば、パチンコ等の遊技機についても提案されている（例えば、特許文献１参照）。
【０００９】
【特許文献１】
特開２００２−１４３４９７号公報（図５等）
【００１０】
【発明が解決しようとする課題】
ところが、図６に示すようにハーネス１６を構成すると、配線経路を遠回りに設定しなければならなくなるため、ケーブルの長さが非常に長くなり、かつ、その形状も複雑となり、ハーネス１６のサイズが大となり重量もかさむ結果、コスト高となる。また、大きなサイズと複雑な形状が原因して、ハーネス１６を、画像形成装置の本体に組込む時の作業性も低下して組立てに時間を要することとなる。さらに、ハーネス１６を構成するケーブルの１本が切断した場合にも、切断されていない多数のケーブルを含むハーネス１６全体を交換しなければならないため、大変不経済であり、かつ、メンテナンスパーツとして倉庫に保管する場合にも嵩高くなるため、広いスペースを要する等の問題もあった。
【００１１】
しかも、電気的にも問題があり、図６のようにハーネス１６を形成した場合には、各機能ユニット１２〜１５ごとに、ハーネス１６の長さが異なってしまうため、制御基板１１から出力される画像データの転送速度が上がると、ハーネス１６の長さの相違に起因する線路インピーダンスの差によって、電気的な波形の乱れ方が変わるため、機能ユニット１２〜１５ごとに波形の調整のための回路定数を調整しなければならず、それぞれの機能ユニット１２〜１５に対応する制御回路およびそれぞれの機能ユニット１２〜１５内の制御回路の構成を調整しなければならなかった。
【００１２】
本発明は、このような実情に鑑みてなされ、複数の機能ユニットを回路基板と電気的に接続する際に、誤接続を防止でき、かつ、最短距離で接続でき、機能ユニットごとの面倒な波形調整が不要な配線構造及び画像形成装置を提供することを目的とする。
【００１３】
【課題を解決するための手段】
本発明は、上述の課題を解決するための手段を以下のように構成している。
【００１４】
（１）互いに並列に配列されて電気的な信号で動作する複数の機能ユニットに対して所定の間隔をおいて配設される回路基板と、前記各機能ユニットに対応して前記回路基板に設けられる複数の受側コネクタと、前記各受側コネクタと、対応する前記各機能ユニットとを各ユニットごとに独立に電気的に接続するための複数の配線束と、前記各配線束をそれぞれ位置規制するための規制手段と、備え、
隣接し合う前記受側コネクタ間の間隔を、隣接し合う前記機能ユニット間の間隔と略同一に設定し、かつ、前記各規制手段から対応する前記各受側コネクタまでの距離を、前記機能ユニット間の間隔よりも短く設定したことを特徴とする。
【００１５】
同一の構造を有する複数の機能ユニットを並列配置させた場合は、機能ユニットと回路基板とをそれぞれ独立した配線束（ハーネス）を用いて接続することにより、最短距離で接続することができ、大きな量産効果を得ることができる。また、各機能ユニット間での線路インピーダンスの差がなくなるため、機能ユニットごとの面倒な波形調整が不要となる。しかし、それぞれの機能ユニットごとのコネクタの構成が同一構成となるため、配線束を接続する際に、隣接する回路系に誤って接続してしまう虞がある。
【００１６】
この構成においては、それぞれの配線束を規制する規制手段の間隔と、機能ユニットの間隔と、回路基板に配置される受側コネクタの間隔とを略同一とし、規制手段から受側コネクタまでの距離を、機能ユニットの間隔よりも短く設定することにより、同一の配線束を用いても、誤接続を防止することができ、量産性の確保と誤接続の防止の両方の効果が得られ、製造コストやメンテナンスコストを低減させることができる。また、機能ユニットごとの面倒な波形調整が不要となるため、機能ユニット内の制御回路の構成を簡素化することができる。
【００１７】
なお、機能ユニットの配列に対して回路基板が所定の間隔をおいて配設されるとは、例えば、回路基板を機能ユニットの直上方位置に（平行に）配置したり、回路基板を機能ユニットの後方に立て掛けるように（垂直に）配置することをいうが、相互の配置状態は、装置本体側のレイアウトに応じて適宜に選択されてよい。また、機能ユニットとは、各種の電装部品をいい、画像形成装置関連の部品やＡＶ機器、各種遊技機等の部品等をいう。
【００１８】
（２）前記配線束は、前記回路基板に設けた受側コネクタに接続される複数のコネクタを具備し、
前記複数のコネクタを、前記受側コネクタに接続した時には、前記それぞれのコネクタに接続されている配線束の、少なくともその一部が回路基板面に直交する方向に重なり合うように、前記受側コネクタの配置位置を設定したことを特徴とする。
【００１９】
配線束のコネクタが複数に分かれる場合に、受側コネクタの配置を機能ユニットが配列される方向に並べて配置すると、隣の配線束のコネクタに対応する受側コネクタに誤接続（誤挿入）しやすくなるが、この構成においては、分岐する配線束相互が重なり合うように受側コネクタを回路基板上に配設するので、隣接する機能ユニット側の受側コネクタとの間に適当な間隔が設定されるため、誤接続を防止しやすくなる。
【００２０】
（３）前記配線束は、分岐点から分岐した２つの配線束の先端に、それぞれコネクタを具備し、かつ、前記回路基板上には、２つの前記コネクタにそれぞれ接続される２つの受側コネクタが配設され、
前記規制手段から一方の前記受側コネクタに至る距離が、前記規制手段から他方の前記受側コネクタに至る距離よりも短くなるように、前記一方の受側コネクタを、前記他方の受側コネクタからオフセットした位置に配設したことを特徴とする。
【００２１】
配線束が複数のコネクタを具備している場合、規制手段から各コネクタが上下に重なるように接続される構成とすれば、その点を念頭において作業することで、効果的に誤接続を防止できると考えられるが、反面、コネクタの接続（および引抜）作業が困難になることが懸念される。
【００２２】
この構成においては、配線束が、分岐点から分岐した２つのケーブル束の先端に、前記回路基板上の２つの受側コネクタにそれぞれ接続される２つのコネクタを具備している場合に、一方の受側コネクタの配設位置を規制手段への距離がより近くなるように、他方の受側コネクタから離れた位置にオフセットさせることにより、コネクタの接続時（および引抜時）の作業性の向上と誤接続の防止効果の両方を確保することができる。なお、上述の所定距離とは、コネクタの接続時（および引抜時）の作業性に困難性を伴うことなく、かつ、誤接続を防止できる程度の離間間隔をいう。
【００２３】
（４）前記一方のコネクタに接続されている配線束は、前記一方の受側コネクタに近接する箇所で、前記他方のコネクタに接続されている配線束に沿う方向に向けて折曲状態となるように結束されていることを特徴とする。
【００２４】
一方の受側コネクタをオフセットさせた場合には、隣の配線束に近づくため隣の配線束のコネクタを誤って接続してしまう虞があるが、この構成においては、オフセットさせた一方の受側コネクタに接続する一方のコネクタの近傍で配線束を、他方の（オフセットされていない）コネクタに接続されている配線束に沿う方向に折曲させるので、その一方のコネクタを（誤って）他方の受側コネクタ（または隣接する一方の受側コネクタ）に接続しようとした場合には、接続しにくくなるため、誤挿入しようとしていることを容易に認識することができ、誤接続を防止することができる。
【００２５】
（５）転写担持体に対して複数の画像形成ステーションを並列して配置し、前記転写担持体上で前記それぞれの画像形成ステーションにて形成された画像を重ね転写する画像形成装置において、
前記各画像形成ステーションに設けられ、互いに並列に配列されて電気的な信号で動作する複数の機能ユニットと、前記機能ユニットの配列に対して所定の間隔をおいて配設される回路基板と、前記各機能ユニットに対応して前記回路基板に設けられる複数の受側コネクタと、前記各受側コネクタと、対応する前記各機能ユニットとを各ユニットごとに独立に電気的に接続するための複数の配線束と、前記各配線束をそれぞれ位置規制するための規制手段と、を備え、
隣接し合う前記受側コネクタ間の間隔を、隣接し合う前記機能ユニット間の間隔と略同一に設定すると共に、前記各規制手段から対応する前記各受側コネクタまでの距離を、前記機能ユニット間の間隔よりも短く設定したことを特徴とする。
【００２６】
この構成においては、それぞれの配線束を規制する規制手段の間隔と、機能ユニットの間隔と、回路基板に配置される受側コネクタの間隔とを略同一とし、規制手段から受側コネクタまでの距離を、機能ユニットの間隔よりも短く設定することにより、同一の配線束を用いても、誤接続を防止することができ、量産性の確保と誤接続の防止の両方の効果が得られ、製造コストやメンテナンスコストを低減させることができる。また、機能ユニットごとの面倒な波形調整が不要となるため、機能ユニット内の制御回路の構成を簡素化することができる。
【００２７】
（６）前記回路基板は前記機能ユニットの上側に配設されていることを特徴とする。
【００２８】
一般的にデジタル方式の画像形成装置は、画像形成部は独立に形成可能であるから、その上側に配設される原稿画像入力装置を画像形成部から分離させた構成にすることができる。したがって、この構成のように、回路基板を機能ユニットの上に配設すれば、画像形成装置の設置位置を変更せずに、画像形成部の天板を外すことにより、容易に回路基板のメンテナンスを行うことができる。
【００２９】
そして、この時、コネクタの接続作業を容易に行うことができる。また、原稿画像入力装置が画像形成部に近接して位置している場合には、原稿画像入力装置を上方に開放させることで容易にコネクタの接続作業や回路基板に対するメンテナンスを行うことができる。
【００３０】
【発明の実施の形態】
以下に、本発明の実施の形態に係る配線構造と画像形成装置について図面を参照しつつ詳細に説明する。
【００３１】
《画像形成装置》
図１は、画像形成装置としてのデジタルカラー複写機１の構成を示し、この複写機１の本体上面には、原稿台１１１及び操作パネルが設けられ、複写機本体１の内部に画像読み取り部１１０および画像形成部２１０が設けられている。原稿台１１１の上面には該原稿台１１１に対して開閉可能な状態で支持され、原稿台１１１面に対して所定の位置関係をもって両面自動原稿送り装置（ＲＡＤＦ；Ｒｅｖｅｒｓｉｎｇ  Ａｕｔｏｍａｔｉｃ  Ｄｏｃｕｍｅｎｔ  Ｆｅｅｄｅｒ）１１２が装着されている。
【００３２】
この両面自動原稿送り装置１１２は、まず、原稿の一方の面が原稿台１１１の所定位置において画像読み取り部１１０に対向するように原稿を搬送し、この一方の面についての画像読み取りが終了した後に、他方の面が原稿台１１１の所定位置において画像読み取り部１１０に対向するよう原稿を反転して原稿台１１１に向かって搬送するように構成され、１枚の原稿について両面の画像読み取りが終了した後にこの原稿を排出し、次の原稿についての両面搬送動作を実行する。このような原稿の搬送および表裏反転の動作は、複写機全体の動作に関連して制御される。
【００３３】
画像読み取り部１１０は、両面自動原稿送り装置１１２により原稿台１１１上に搬送されてきた原稿の画像を読み取るために、原稿台１１１の下方に配置されている。画像読み取り部１１０は該原稿台１１１の下面に沿って平行に往復移動する原稿走査体１１３，１１４と、光学レンズ１１５と、光電変換素子であるＣＣＤラインセンサ１１６とを有しており、原稿走査体１１３，１１４は、第１の走査ユニット１１３と第２の走査ユニット１１４とから構成されている。
【００３４】
第１の走査ユニット１１３は原稿画像表面を露光する露光ランプと、原稿からの反射光像を所定の方向に向かって偏向する第１ミラーとを有し、原稿台１１１の下面に対して一定の距離を保ちながら所定の走査速度で平行に往復移動する。また、第２の走査ユニット１１４は、第１の走査ユニット１１３の第１ミラーにより偏向された原稿からの反射光像をさらに所定の方向に向かって偏向する第２および第３ミラーとを有し、第１の走査ユニット１１３と一定の速度関係を保って平行に往復移動する。
【００３５】
光学レンズ１１５は、第２の走査ユニットの第３ミラーにより偏向された原稿からの反射光を集光し、縮小された光像をＣＣＤラインセンサ１１６上の所定位置に結像させ、ＣＣＤラインセンサ１１６は、結像された光像を順次光電変換して電気信号として出力する。このＣＣＤラインセンサ１１６は、白黒画像あるいはカラー画像を読み取り、Ｒ（赤）、Ｇ（緑）、Ｂ（青）の各色成分に色分解したラインデータを出力することのできる３ラインのカラーＣＣＤであり、このＣＣＤラインセンサ１１６により電気信号に変換された原稿画像情報は、さらに、図示しない画像処理部に転送されて所定の画像データ処理が施される。
【００３６】
次いで、画像形成部２１０の構成、および画像形成部２１０に係わる各部の構成について説明する。
画像形成部２１０の下方には、用紙トレイ内に積載収容されている用紙（記録媒体）Ｐを１枚ずつ分離して画像形成部２１０に向かって供給する給紙機構２１１が設けられている。そして１枚ずつ分離供給された用紙Ｐは、画像形成部２１０の手前に配置された一対のレジストローラ２１２によりタイミングが制御されて画像形成部２１０に搬送される。さらに、片面に画像が形成された用紙Ｐは、画像形成部２１０の画像形成にタイミングを合わせて画像形成部２１０に再供給搬送される。
【００３７】
給紙機構２１１と画像形成部２１０との間には、転写搬送ベルト機構２１３が配置されている。転写搬送ベルト機構２１３は、駆動ローラ２１４と従動ローラ２１５との間に略平行に伸びるように張架された転写搬送ベルト２１６に用紙Ｐを静電吸着させて搬送するように構成されている。さらに、用紙搬送路における転写搬送ベルト機構２１３の下流側には、用紙Ｐ上に転写形成されたトナー像を用紙Ｐ上に定着させるための定着装置２１７が配設されている。この定着装置２１７の一対の定着ローラ間におけるニップ部を通過した用紙Ｐは、搬送方向切り換えゲート２１８を経て、排出ローラ２１９により複写機本体１の外壁に取り付けられている排紙トレイ２２０上に排出される。
【００３８】
切り換えゲート２１８は、定着後の用紙Ｐの搬送経路を、複写機本体１へ用紙Ｐを排出する経路と、画像形成部２１０に向かって用紙Ｐを再供給する経路との間で選択的に切り換え、切り換えゲート２１８により再び画像形成部２１０に向かって搬送方向が切り換えられた用紙Ｐは、スイッチバック搬送経路２２１を介して表裏反転された後、画像形成部２１０へと再度供給される。
【００３９】
また、画像形成部２１０における転写搬送ベルト２１６の上方には、その転写搬送ベルト２１６に近接して、第１の画像形成ステーションＰａ、第２の画像形成ステーションＰｂ、第３の画像形成ステーションＰｃ、および第４の画像形成ステーションＰｄが、用紙搬送経路上流側から順に並設されている。転写搬送ベルト２１６は駆動ローラ２１４によって、図１において矢印Ｚで示す方向に摩擦駆動され、前述したように給紙機構２１１を通じて給送される用紙Ｐを担持し、用紙Ｐを画像形成ステーションＰａ〜Ｐｄへと順次搬送する。
【００４０】
各画像ステーションＰａ〜Ｐｄは、実質的に同一に構成され、図１に示す矢印Ｆ方向に回転駆動される感光体ドラム２２２ａ〜２２２ｄをそれぞれ備えている。各感光体ドラム２２２ａ〜２２２ｄの周辺には、感光体ドラム２２２ａ〜２２２ｄをそれぞれ一様に帯電させる帯電器２２３ａ〜２２３ｄと、感光体ドラム２２２ａ〜２２２ｄ上に形成された静電潜像をそれぞれ現像する現像装置２２４ａ〜２２４ｄと、現像された感光体ドラム２２２ａ〜２２２ｄ上のトナー像を用紙Ｐへ転写する転写用放電器２２５ａ〜２２５ｄと、感光体ドラム２２２ａ〜２２２ｄ上に残留するトナーを除去するクリーニング装置２２６ａ〜２２６ｄとが感光体ドラム２２２ａ〜２２２ｄの回転方向に沿って順次配置されている。
【００４１】
また、各感光体ドラム２２２ａ〜２２２ｄの上方には、記録装置であるＬＥＤ書き込みヘッド（本発明でいう機能ユニット）２２７ａ〜２２７ｄがそれぞれ設けられている。ＬＥＤ書き込みヘッド２２７ａ〜２２７ｄは、画像データに応じて変調されたドット光を発する発光ダイオード（図示せず）をライン状に基板上に形成したＬＥＤ基板ユニット、発光ダイオードからの光を感光体ドラム上に結像させるレンズアレイ（図示せず）などから構成されている。
【００４２】
ＬＥＤ書き込みヘッド２２７ａにはカラー原稿画像の黒色成分像に対応する画素信号が、ＬＥＤ書き込みヘッド２２７ｂにはカラー原稿画像のシアン色成分像に対応する画素信号が、ＬＥＤ書き込みヘッド２２７ｃにはカラー原稿画像のマゼンタ色成分像に対応する画素信号が、そして、ＬＥＤ書き込みヘッド２２７ｄにはカラー原稿画像のイエロー色成分像に対応する画素信号がそれぞれ入力される。
【００４３】
これにより色変換された原稿画像情報に対応する静電潜像が各感光体ドラム２２２ａ〜２２２ｄ上に形成される。そして、現像装置２２４ａには黒色のトナーが、現像装置２２４ｂにはシアン色のトナーが、現像装置２２４ｃにはマゼンタ色のトナーが、現像装置２２４ｄにはイエロー色のトナーがそれぞれ収容されており、感光体ドラム２２２ａ〜２２２ｄ上の静電潜像は、これら各色のトナーにより現像され、これにより、画像形成部２１０にて色変換された原稿画像情報が各色のトナー像として再現される。
【００４４】
転写搬送ベルト２１６に担持され各画像ステーションＰａ〜Ｐｄにて形成された画像が重ね転写された用紙は、第４の画像ステーションＰｄと定着装置２１７との間で駆動ローラ２１４のほぼ真上部に設けられた除電器２２９によって除電される。この除電器２１９には交流電流が印加されており、転写搬送ベルト２１６に静電吸着されている用紙Ｐを転写搬送ベルト２１６から分離しやすいようにしている。
【００４５】
以上のように構成されるデジタルカラー複写機１においては、用紙Ｐとしてカット用紙状の紙が使用される。この用紙Ｐは、給紙カセットから送り出されて給紙機構２１１の給紙搬送経路のガイド内に供給されると、その用紙Ｐの先端部分がセンサ（図示せず）にて検知され、このセンサから出力される検知信号に基づいて一対のレジストローラ２１２により一旦停止される。
【００４６】
そして、用紙Ｐは各画像ステーションＰａ〜Ｐｄとタイミングをとって図１の矢印Ｚ方向に回転している転写搬送ベルト２１６上に送られる。用紙Ｐは、各画像ステーションＰａ〜Ｐｄを通過する間、転写搬送ベルト２１６に吸着し安定して搬送供給される。各画像ステーションＰａ〜Ｐｄにおいては、各色のトナー像が、それぞれ形成され、転写搬送ベルト２１６により静電吸着されて搬送される用紙Ｐの支持面上で重ね合わされる。第４の画像ステーションＰｄによる画像の転写が完了すると、用紙Ｐは、その先端部分から順次、転写搬送ベルト２１６上から剥離され、定着装置２１７へと導かれる。最後に、トナー画像が定着された用紙Ｐは、用紙排出口（図示せず）から排紙トレイ２２０上へと排出される。
【００４７】
また、画像形成部２１０の上部には、ＬＥＤ書込みヘッド２２７ａ〜２２７ｄに対して画素信号を供給するＬＥＤ書込みヘッド制御基板（本発明でいう回路基板）２３２が配設されている。これにより、図１に示すようなデジタルカラー複写機１のような形態の場合には、回路系のメンテナンス時に、画像読み取り部１１０を画像形成部２１０に対して後側を回動支点にして開放させることで容易にメンテナンス（ＬＥＤ書込みヘッド制御基板２３２の交換等）を行うことができる。
【００４８】
例えば、図２に示すようなカラープリンタを主体にした画像形成装置においては、画像形成部（プリンタ本体）２１０の上部に離れた状態で画像読取装置１１０が設置され、画像形成部２１０と画像読取装置１１０との間に画像が形成された用紙の排出トレイ部が設けられているため、排紙トレイ部の一部を外すことにより容易にＬＥＤ書込みヘッド制御基板２３２を含む回路系のメンテナンスを行うことができる。また、この図２の構成では、画像形成部２１０や画像読取装置１１０を動作させながら回路系の各部の動作信号や動作状態を測定器等により測定したり確認したりすることができる。
【００４９】
また、図３に示すような中間転写方式の画像形成装置（デジタルカラー複写機）では、搬送ベルトユニット２１３′の転写搬送ベルト２１６′を中間転写ベルトとして構成してあり、この中間転写ベルト２１６′に直接それぞれの画像形成ステーションで形成された画像を重ね転写し、２次転写ローラ２２５′により搬送されてくる用紙に画像を一括転写し、その後、定着装置２１７により用紙に画像を定着させることで画像形成を行っている。なお、符号２２８は、テンションローラである。このような中間転写方式の画像形成装置においても、感光体ドラム２２２に画像を形成する動作等ほとんどの部分の動作は、先に説明した図１のデジタルカラー複写機１と同一であるので、同様の部分については同じ符号を付し、その詳細な説明等の記載は省略する。
【００５０】
《配線構造》
図４は、図１〜図３等の画像形成装置におけるＬＥＤ書込みヘッド制御基板２３２まわりの配線構造を示す。図示のように、ＬＥＤ書込みヘッド制御基板２３２は、保持具２３３を介して基板支持部材２３１の直上に平行に支持され、その基板支持部材２３１は、薄板鋼板のプレス成形により形成される。この基板支持部材２３１には、ハーネス（本発明の配線束）３００の位置をそれぞれ規制するための規制孔（本発明の規制手段）２４０（２４０ａ〜２４０ｄ）が設けられている。なお、この規制孔２４０は、本例では切欠きのない長孔になっているが、受側コネクタ３１１，３１２から離れた側縁部分に、図示は省略するが、切欠き等を設けてハーネス３００の基板支持板２３１への組付けが容易となるようにしてもよい。
【００５１】
上述のハーネス３００は、それぞれ２本のハーネス３００ａ，３００ａ′〜３００ｄ，３００ｄ′を結束バンドなどの結束部材３２２で結束して、その先端に受側コネクタ３１１（３１１ａ〜３１１ｄ），３１２（３１２ａ〜３１２ｄ）に接続するコネクタ３０１，３０２を取り付ける一方、基部側には、機能ユニット２２７（２２７ａ〜２２７ｄ）の受側コネクタ３１３（３１３ａ〜３１３ｄ），３１４（３１４ａ〜３１４ｄ）に接続するためのコネクタ３０３（３０３ａ〜３０３ｄ），３０４（３０４ａ〜３０４ｄ）を取り付け、それぞれ最短距離で、各機能ユニット２２７とＬＥＤ書込みヘッド制御基板２３２とを電気的に各独立に接続できるようにしている。そして、各ハーネス３００は、全て共通として互換性を高めることで、量産性を向上させ、かつ、コストの低減を可能とし、メンテナンスパーツの種類を減じてパーツ管理も容易としている。
【００５２】
また、各機能ユニット２２７とＬＥＤ書込みヘッド制御基板２３２との間の線路インピーダンスが同一となるため、各機能ユニット２２７ごとの面倒な波形調整が不要となり、各機能ユニット２２７内の制御回路の構成を簡素化することができる。そして、規制孔２４０と一方の受側コネクタ３１２を結ぶライン（一点鎖線）からずれた（距離ｓだけシフトさせた）位置にある他方の受側コネクタ３１１は、その一点鎖線からなるべく離れないように、かつ、規制孔２４０に近い位置に配設し、これにより、各コネクタ３０１，３０２の受側コネクタ３１１，３１２への誤接続（誤挿入）を防止している。
【００５３】
また、受側コネクタ３１２と規制孔２４０とを結ぶライン上（一点鎖線上）に受側コネクタ３１１を設けてもよく、その場合には、分岐させたハーネス３００ａ、３００ａ′同士が上下に全く重なるため、誤接続を防止しやすい位置関係の設定が容易となるが、コネクタ３０１，３０２の接続時（および引抜時）の作業性を考慮した場合には、本例のように構成するのが好ましい。なお、本例では、コネクタ３０１，３０２の接続時および引抜時の作業性を損なわない程度に、コネクタ接続状態にて、分岐したハーネス３００ａ、３００ａ′の少なくとも一部が重なり合うように、両受側コネクタ３１１，３１２の位置設定を行っており、コネクタ接続時の作業性と誤接続の防止とを両立させている。
【００５４】
そして、シフトさせた方のコネクタ３０１ａ〜３０１ｄに接続されているハーネス３００ａ〜３００ｄは、コネクタ３０１ａ〜３０１ｄの近傍でケーブル束を結束部材３２１によって結束してＬ曲げ部（Ｌ字状の折曲部）を形成して、他方のハーネス３００ａ′〜３００ｄ′に沿う方向に向けているため、例えば、コネクタ３０１ａを誤って受側コネクタ３１１ｂに挿入しようとしても挿入できないため容易に誤接続を認識できるようにしている。
【００５５】
この誤接続の防止対策として、本例では、特に、図示のように、隣接し合う受側コネクタ（例えば、３１２ｃ，３１２ｄ）間の間隔Ｄ１  を、隣接し合う機能ユニット（例えば、２２７ｃ，２２７ｄ）間の間隔Ｄ０  と略同一に設定すると共に、規制手段２４０（例えば、２４０ｃ，２４０ｄ）から対応する受側コネクタ（例えば、３１２ｃ，３１２ｄ）までの距離Ｄ２  を、機能ユニット間間隔Ｄ０  よりも短く設定している。
【００５６】
このように、それぞれのハーネス３００を規制する規制孔２４０の間隔（本例では、Ｄ１  と同一）と、機能ユニット２２７の間隔Ｄ０  と、ＬＥＤ書込みヘッド制御基板２３２に配置される受側コネクタ３１２の間隔Ｄ１  とを略同一とし、規制孔２４０から受側コネクタまでの距離Ｄ２  を、機能ユニットの間隔よりも短く設定することにより、同一の配線束３００を用いても、誤接続を防止することができ、量産性の確保と誤接続の防止の両方の効果が得られ、製造コストやメンテナンスコストの低減化を図ることができる。なお、図示の例では、上述の各寸法（Ｄ１，Ｄ０，Ｄ２）は、各ブロックごとに同一（共通）に設定しているが、ブロック図ごとに異なる値に設定されていてもよい。
【００５７】
上述の規制孔２４０から受側コネクタまでの距離Ｄ２  の設定については、より詳しくは、以下のように対処している。すなわち、配線束３００の分岐点から前記第１コネクタ３０１に至る線長を、分岐点から第２コネクタ３０２に至る線長よりも短く設定すると共に、規制孔２４０から第１受側コネクタ３１１に至る距離が、規制孔２４０から第２受側コネクタ３１２に至る距離よりも短くなるように、第１受側コネクタ３１１を、規制孔２４０と受側コネクタ３１２を結ぶ一点鎖線のラインからオフセットした位置に配設している。
【００５８】
このように、一方の受側コネクタ３１１の配設位置を規制孔２４０への距離がより近くなるように、他方の受側コネクタ３１２から離れた位置にオフセットさせることにより、コネクタの接続時（および引抜時）の作業性の向上と誤接続の防止効果の両方を確保することができる。なお、上述の所定距離は、コネクタ接続時（および引抜時）に困難性を伴うことなく、かつ、誤接続を防止できる程度の間隔に設定されればよい。
【００５９】
図上、例えば、規制孔２４０ｃに挿通させたハーネス３００ｃ，ｃ′については、一方のコネクタ３０１ｃは、上述のように、短いハーネス３００ｃがＬ曲げされているため、受側コネクタ３１１ｃにしか接続できない。また、長い方のハーネス３００ｃに接続された他方のコネクタ３０２ｃも、隣接する受側コネクタ３１２ｂ，３１２ｄには、ハーネス３００ｃ′の長さが足りないため接続できず、受側コネクタ３１２ｃのみにしか接続できない。従って、コネクタ３０１，３０２の誤接続を確実に回避することができる。
【００６０】
ちなみに、上述の受側コネクタ３１１は、電源ラインのコネクタであり、受側コネクタ３１２は信号ラインのコネクタである。これらを１つのコネクタにまとめることにより誤接続しにくい構造にすることができる。しかし、電源ラインと信号ラインとを１個のコネクタにまとめた場合、電源ラインに流れる電流に合わせた容量や耐圧に合致するコネクタを用いなければならず、コネクタのピンのピッチやサイズが大きくなり、大きく高価なコネクタを用いなければならない。したがって、電源ラインと信号ラインとは、一般的に、本例のように、別々のコネクタで構成されている。
【００６１】
図５は、配線構造の異なる例を示し、この場合、各機能ユニット２２７と対応する２つの受側コネクタ３１１，３１２を一列状態に配列すると共に、分岐させた２本のハーネス３００ａ，３００ａ′を同一長さとして、構成部材のより一層の共通化を図り、量産性を向上させている。
【００６２】
このような構成においては、規制孔２４０と受側コネクタ３１２を結ぶ一点鎖線のラインからオフセットして配設された受側コネクタ３１１は、隣接ブロックのコネクタ３０１と誤って接続される虞がある。しかし、隣接ブロックのいずれか一方のみしとしか誤挿入できないので、誤接続があると、接続できない残余のコネクタが発生するため、全てのコネクタ３０１，３０２を完全に挿入することができなくなるため誤接続を認識することができる。なお、オフセットさせている受側コネクタ３０１ａに接続されているハーネス３００ａを図４に示す符号３３０ＬのようにＬ曲げを施すことにより、誤挿入をしようとしたときにすぐに認識でき誤接続を防止できるのは言うまでもない。
【００６３】
なお、本発明は、配線構造を、図４または図５の構成に限定するものではなく、少なくとも、隣接し合う受側コネクタ間の間隔を、隣接し合う機能ユニット間の間隔と略同一に設定し、かつ、各規制手段から対応する各受側コネクタまでの距離を、機能ユニット間の間隔よりも短く設定した配線構造であれば、機能ユニットの数や、構成、形式の如何を問わず、本発明を適用することができる。
【００６４】
また、本発明は、画像形成装置を、図１ないし図３の構成に限定するものではなく、少なくとも、上述のような配線構造を具備するものであれば、その構成や形式の如何を問わず、本発明を適用することができる。さらに、本発明の配線構造は、画像形成装置に限らず、例えば、ＡＶ機器や遊技機、その他の電装品等にも広く適用できるのは言うまでもない。
【００６５】
【発明の効果】
以上の説明から明らかなように、本発明は、以下の効果を奏する。
【００６６】
（１）それぞれの配線束を規制する規制手段の間隔と、機能ユニットの間隔と、回路基板に配置される受側コネクタの間隔とを略同一とし、規制手段から受側コネクタまでの距離を、機能ユニットの間隔よりも短く設定することにより、同一の配線束を用いても、誤接続を防止することができ、量産性の確保と誤接続の防止の両方の効果が得られ、製造コストやメンテナンスコストを低減させることができる。また、各機能ユニット間での線路インピーダンスの差がなくなるため、機能ユニットごとの面倒な波形調整が不要となり、機能ユニット内の制御回路の構成を簡素化することができる。
【００６７】
（２）分岐する配線束がそれぞれ重なり合うように受側コネクタを回路基板上に配設するので、隣接する機能ユニット側の受側コネクタとの間に適当な間隔が設定されるため、誤接続を防止しやすくなる。
【００６８】
（３）分岐点から分岐した２つの配線束の先端に、前記回路基板上の２つの受側コネクタにそれぞれ接続される２つのコネクタを具備している場合に、一方の受側コネクタの配設位置を規制手段への距離がより近くなるように、他方の受側コネクタから離れた位置にオフセットさせることにより、コネクタの接続時（および引抜時）の作業性の向上と誤接続の防止効果の両方を確保することができる。
【００６９】
（４）コネクタの近傍で配線束を折曲させるので、コネクタを隣の受側コネクタに接続しようとした場合に、接続しにくくなるため、誤挿入しようとしていることを容易に認識することができ、誤接続を防止することができる。
【００７０】
（５）転写担持体に対して複数の画像形成ステーションを並列して配置し、前記転写担持体上で前記それぞれの画像形成ステーションにて形成された画像を重ね転写する画像形成装置において、それぞれの配線束の位置を規制する規制手段の間隔と、機能ユニットの間隔と、回路基板に配置される受側コネクタの間隔とを略同一とし、規制手段から受側コネクタまでの距離を、機能ユニットの間隔よりも短く設定するので、同一の配線束を用いても、誤接続を防止することができ、量産性の確保と誤接続の防止の両方の効果が得られ、製造コストやメンテナンスコストを低減させることができる。また、各機能ユニット間での線路インピーダンスの差がなくなるため、機能ユニットごとの面倒な波形調整が不要となり、機能ユニット内の制御回路の構成を簡素化することができる。
【００７１】
（６）回路基板を機能ユニットの上側に配設するので、画像形成装置の設置位置を変更せずに、画像形成部の天板を外すことにより、容易に回路基板のメンテナンスを行うことができる。そして、この時、コネクタの接続作業を容易に行うことができる。また、原稿画像入力装置が画像形成部に近接して位置している場合には、原稿画像入力装置を上方に開放させることで容易にコネクタの接続作業や回路基板に対するメンテナンスを行うことができる。
【図面の簡単な説明】
【図１】本発明の実施の形態に係る画像形成装置の構成を示す断面図である。
【図２】同画像形成装置の斜視図である。
【図３】同異なる画像形成装置の構成を示す断面図である。
【図４】同配線構造の斜視図である。
【図５】同異なる配線構造の斜視図である。
【図６】従来の配線構造の一例を示す斜視図である。
【符号の説明】
１−画像形成装置
２１６−転写担持体
２２７ａ〜２２７ｄ−機能ユニット
２３２−回路基板
２４０ａ〜２４０ｄ−規制手段
３００，３００ａ，３００ａ′−配線束
３０１ａ，３０２ａ〜３０１ｄ，３０２ｄ−コネクタ
３１１ａ，３１２ａ〜３１１ｄ，３１２ｄ−受側コネクタ
Ｐａ〜Ｐｄ−画像形成ステーション
【図１】
2004233545.tif 000003
【図２】
2004233545.tif 000004
【図３】
2004233545.tif 000005
【図４】
2004233545.tif 000006
【図５】
2004233545.tif 000007
【図６】
2004233545.tif 000008